(57)【特許請求の範囲】
【請求項１】
所定の回転軸の周りに回転駆動が可能なロータ部と、
前記ロータ部に装着された複数のプロペラ羽根を有するプロペラ部と、
前記ロータ部を回転させるステータを支持し、かつ前記回転軸と同方向に導風路が形成されたケースとを備え、
前記複数のプロペラ羽根は、隣り合うもの同士が前記回転軸方向から見て投影的に重なり合うように形成され、
前記導風路においては、その内径が前記プロペラ羽根の回転状態での外径よりも小さくかつ前記プロペラ羽根が回転時に当接しないようオフセットが形成され、
前記導風路に対し前記回転軸と平行な方向に入射する光線が、前記ケース、前記複数のプロペラ羽根、および前記ロータ部によって実質上遮光されるように構成されているファン装置。
【請求項２】
前記各プロペラ羽根は、二枚以上の小プロペラ羽根が組み合わされて構成されている請求項１記載のファン装置。
【請求項３】
光を出射する光出射手段と、
前記出射された光を利用して光学像を所定のスクリーンに投写する投写手段と、
少なくとも前記光出射手段を冷却するための請求項１記載のファン装置とを備えた投写型表示装置。
【請求項４】
前記光出射手段、前記投写手段、および前記ファン装置を収納する収納筐体をさらに備え、
前記収納筐体の壁部には、前記冷却を行うための吸気および／または排気が可能な開口部が設けられており、
前記ファン装置は、前記開口部から所定距離だけ前記収納筐体の内部側に離れて配置されている請求項３記載の投写型表示装置。
【請求項５】
動作時に発熱をともなう所定の回路と、
少なくとも前記所定の回路を冷却するための請求項１記載のファン装置とを備えた電子機器。
【請求項６】
前記所定の回路、および前記ファン装置を収納する収納筐体をさらに備え、
前記収納筐体の壁部には、前記冷却を行うための吸気および／または排気が可能な開口部が設けられており、
前記ファン装置は、前記開口部から所定距離だけ前記収納筐体の内部側に離れて配置されている請求項５記載の電子機器。
【発明の詳細な説明】
【０００１】
【発明の属する技術分野】
本発明は、たとえば、光源ランプからの白色光を赤、青、緑の３色光に分解し、これらの各光を例えば液晶パネルから構成されるライトバルブを通して画像情報に対応させて変調し、変調した後の各色の変調光を色合成して投射レンズユニットを介してスクリーン上に拡大投射する投写型表示装置等の電子機器で冷却目的に使用可能なファン装置、投写型表示装置、および電子機器に関するものである。
【０００２】
【従来の技術】
近年、投写型液晶表示装置は画像情報をより鮮明に投影するために高解像度のライトバルブデバイス、例えば液晶パネルユニットが用いられ、投影画面を更に明るくするための高輝度化が進められている。
【０００３】
より具体的には、ノートパソコンなどのパーソナルコンピュータの普及拡大により、電子プレゼンテーションにも多く用いられるノートパソコンなどの画像出力装置として、可搬性に優れた小型軽量の投写型表示装置が強く望まれている。また、ホームシアター用の投写型表示装置なども普及しつつある。
【０００４】
一方、高輝度化にともない光源ランプの定格入力電力も大きくなり、光源ランプなどを冷却するための冷却性能の確保が重要になっている。
【０００５】
ここで、図５〜７を参照しながら、従来の投写型表示装置について説明する。なお、図６は、液晶パネルから構成されるライトバルブを通して画像情報に対応させて変調し、変調した後の各色の変調光を色合成して投射レンズユニットを介してスクリーン上に拡大投射する投写型表示装置等で使用される光源ランプ周辺の冷却装置を利用した、従来の投写型表示装置の平面図である。また、図７は、同装置の右側面図である。また、図５は、同装置に使用される一般的な軸流ファンである冷却ファン６の概要を示すための、従来の軸流送風機の説明図である。
【０００６】
図６に示されているように、従来の投写型表示装置は、光源ランプユニット１と、前記光源ランプユニット１からの光を集光する照射光学ユニット２と、集光された光を光学的に画像情報を生成するライトバルブとしてのＲ、Ｇ、Ｂの３枚の液晶パネルユニット３と、前記液晶パネルユニット３の光学情報を色合成する色合成系ユニット４と、画像情報をスクリーン上に拡大投射する投射光学ユニット５と、前記光源ランプユニット１およびその周辺部を冷却するための冷却ファン６と、前記光源ランプユニット１の不要光がセット外部へ漏れることを防止する為の遮光部材７と、前記冷却ファン６の排出空気を流通させるために排気開口部９を有するハウジング８を有している。
【０００７】
ここで、このような投写型表示装置による冷却の仕組みについて説明する。
【０００８】
図６に示されているように、光源ランプユニット１の高温雰囲気は、冷却ファン６の回転によって、送風手段としてのプロペラの前後に発生する圧力差により、遮光部材７を経由して、ハウジング８に設けられた排気開口部９からハウジング外部へ排出される。そのため、ハウジング８の内部の雰囲気温度は、熱移送が行われ冷却が達成される。
【０００９】
より具体的には、図５に示されているように、モータ１１のロータ側に一体的に形成された複数の送風手段としてのプロペラ１２が、モータ１１の回転に伴って回転させられる。そこで、モータ１１の回転中心と概ね一致させてモータを保持するハウジング１０に形成された空気導風路内で軸方向に空気の流通が行われるものである。
【００１０】
【発明が解決しようとする課題】
しかしながら、このような従来の投写型表示装置では、冷却ファンの排出空気を流通させるための排気開口部からセット外部への光漏れを防止するために大きな遮光部材が必要となり、装置の小型化や低価格化の大きな阻害要因となっていた（なお、パーソナルコンピュータ等の電子機器は、処理速度が大幅に向上し、ＣＰＵをはじめ種々の駆動ＩＣなどを実装した回路基板などの配置によって、筐体内部の温度上昇は増加する傾向にある。このため、大きな軸流ファンを装着したり、セット内部へのほこりなどの侵入を防ぐための防塵構造を設けたりしなければならず、構造の複雑化や大型化が懸念されている）。
【００１１】
また、上述した従来の投写型表示装置では、そのような遮光部材による冷却ファンの通風抵抗が過大となり、高電力の光源ランプユニットの発熱量の増大に対処するために冷却ファンを高回転で駆動させなければならず、騒音が大きくなり視聴の妨げになることがあった。
【００１２】
本発明は、上記従来のこのような課題を考慮し、遮光部材が不要であって部品点数がより削減されたファン装置、投写型表示装置、および電子機器を提供することを目的とするものである。
【００１３】
【課題を解決するための手段】
第１の本発明は、所定の回転軸の周りに回転駆動が可能なロータ部と、
前記ロータ部に装着された複数のプロペラ羽根を有するプロペラ部と、
前記ロータ部を回転させるステータを支持し、かつ前記回転軸と同方向に導風路が形成されたケースとを備え、
前記複数のプロペラ羽根は、隣り合うもの同士が前記回転軸方向から見て投影的に重なり合うように形成され、
前記導風路においては、その内径が前記プロペラ羽根の回転状態での外径よりも小さくかつ前記プロペラ羽根が回転時に当接しないようオフセットが形成され、
前記導風路に対し前記回転軸と平行な方向に入射する光線が、前記ケース、前記複数のプロペラ羽根、および前記ロータ部によって実質上遮光されるように構成されているファン装置である。
【００１６】
第２の本発明は、前記各プロペラ羽根は、二枚以上の小プロペラ羽根が組み合わされて構成されている第１の本発明のファン装置である。
【００１８】
第３の本発明は、光を出射する光出射手段と、
前記出射された光を利用して光学像を所定のスクリーンに投写する投写手段と、
少なくとも前記光出射手段を冷却するための第１の本発明のファン装置とを備えた投写型表示装置である。
【００１９】
第４の本発明は、前記光出射手段、前記投写手段、および前記ファン装置を収納する収納筐体をさらに備え、
前記収納筐体の壁部には、前記冷却を行うための吸気および／または排気が可能な開口部が設けられており、
前記ファン装置は、前記開口部から所定距離だけ前記収納筐体の内部側に離れて配置されている第３の本発明の投写型表示装置である。
【００２０】
第５の本発明は、動作時に発熱をともなう所定の回路と、
少なくとも前記所定の回路を冷却するための第１の本発明のファン装置とを備えた電子機器である。
【００２１】
第６の本発明は、前記所定の回路、および前記ファン装置を収納する収納筐体をさらに備え、
前記収納筐体の壁部には、前記冷却を行うための吸気および／または排気が可能な開口部が設けられており、
前記ファン装置は、前記開口部から所定距離だけ前記収納筐体の内部側に離れて配置されている第５の本発明の電子機器である。
【００２２】
【発明の実施の形態】
以下に、本発明にかかる実施の形態について、図面を参照しつつ説明を行う。
【００２３】
（実施の形態１）
はじめに、図１（ａ）〜（ｂ）を主として参照しながら、本実施の形態の軸流送風機の構成について説明する。なお、図１（ａ）は本発明にかかる実施の形態１の軸流送風機を軸方向に沿って空気吸入側から見た説明図であり、図１（ｂ）は本発明にかかる実施の形態１の軸流送風機を軸方向に沿って空気吐出側から見た説明図である。
【００２４】
図１（ａ）〜（ｂ）において、回転駆動源となるモータ１０１のステータ側の回転中心は、空気の流れの妨げにならないよう送風機の筐体となるハウジング１０２を利用して複数のスポーク状に設けられたモータ支持フレームの中心に固定されている。
【００２５】
モータ１０１の回転体となるロータ側の外径部に一体的に複数形成されたプロペラ羽根１０３は、送風を行うための手段である。プロペラ羽根１０３は、導風路１０４の内径以下の領域においては、隣り合うもの同士が軸方向から見て投影的に重なり合うように形成されている。このため、軸方向の表面側（すなわち空気吐出側）からは、隣り合うプロペラ羽根１０３の隙間および導風路１０４とプロペラ羽根１０３との隙間から、軸方向の裏面側（すなわち空気吸入側）が見えないようになっている。
【００２６】
導風路１０４は、プロペラ羽根１０３の回転によって流通する空気の導風路であり、モータ１０１の回転軸と概ね軸を共有するように形成されている。導風路１０４は、図１（ａ）においては破線で、図１（ｂ）においては実線で示されている。また、導風路１０４の内径は、プロペラ羽根１０３の回転状態での外径よりも小さく、プロペラ羽根１０３が回転時に当接しないよう、空気吐出側に向かってわずかに広くなっていくオフセットが形成されている。
【００２７】
なお、本実施の形態のロータを含む手段は本発明のロータ部に対応し、プロペラ羽根１０３を含む手段は本発明のプロペラ部に対応する。また、ハウジング１０２は、本発明のケースに対応する。また、本実施の形態の軸流送風機は、本発明のファン装置に対応する。
つぎに、本実施の形態の軸流送風機の動作について説明する。
【００２８】
ハウジング１０２に設けられたモータ支持フレームの中心に保持されたモータ１０１は、供給電圧によって矢印Ａ方向に回転させられる。
【００２９】
また、モータ１０１の回転体となるロータ側に一体的に形成された複数のプロペラ羽根１０３も、同様に矢印Ａ方向に回転させられる。
【００３０】
その結果、プロペラ羽根１０３の吸入・吐出側の両端部に圧力差が生じ、図１（ａ）に示す吸入側より空気の吸入が行われる。そして、吸入された空気は、プロペラ羽根１０３を経由してハウジング１０２に形成された導風路１０４の内径を経て、図１（ｂ）に示す吐出側へと吐出させられる。
【００３１】
このように、本実施の形態の軸流送風機は、回転駆動源となるモータと、前記モータのロータ側の外周に一体的に複数形成され、モータの回転によって一体的に回転し、モータの軸方向へ送風する送風手段と、前記送風手段の外径より小さい内径を有する円形導風路を一体的に形成し、前記モータの回転中心と前記導風路の中心を概ね一致するよう前記モータのステータ側を一体的に保持する筐体とを具備し、前記複数の送風手段は、導風路の内径より小さい領域では、隣接する複数の送風手段同士が前記モータの軸方向から見て送風手段と導風路との隙間がなくなるよう、投影的に重なり合い、導風路内において空気吐出面側から空気吸入面側が概ね見通せないように構成したことを特徴とする軸流送風機である。ここで、前記軸流送風機に使用する送風手段は、軸流ファンのプロペラの羽根形状である。
【００３２】
このような特徴を有する軸流送風機によれば、遮光部材や防塵部材を用いることなく、デザインの自由度が大きい構成で、（１）光源ランプユニットなどの不要な光を外部に出すことなく効率よく冷却でき、（２）セット内部へのほこりの侵入を防止でき、（３）遮光部材や防塵部材による通風抵抗がなくなるため、冷却性能を劣化させることなく送風に伴う騒音を大幅に減少させることができ、（４）使用者に対しセット内部を見せたくない場合の冷却ファンとして使用できるため、セットの品位を向上させることができ、（５）遮光部材や防塵部材が不要となって部品点数を削減できるため、低価格化や小型化を促進することができる。
【００３３】
（実施の形態２）
はじめに、図２〜３を主として参照しながら、本実施の形態の投写型表示装置の構成について説明する。なお、図２は本発明にかかる実施の形態２の投写型表示装置の平面図であり、図３は本発明にかかる実施の形態２の投写型表示装置の右側面図である。
【００３４】
ここに、従来の投写型表示装置（図６〜７参照）の手段と同一の手段には、同符号を附した。
【００３５】
図２において、光源ランプユニット１と、前記光源ランプユニット１からの光を集光する照射光学ユニット２と、集光された光を光学的に画像情報を生成するＲ、Ｇ、Ｂの３枚の液晶パネルユニット３と、前記液晶パネルユニット３の光学情報を色合成する色合成系ユニット４と、画像情報をスクリーン上に拡大投射する投射光学ユニット５と、光源ランプユニット１や装置全体の電気系の駆動源となる電源ユニット（図示省略）と、光源ランプユニット１と装置全体の排気を行う軸流送風機２０１とを有する投写型表示装置を示している。
【００３６】
本実施の形態の投写型表示装置は、光源ランプユニット１および装置内部の全体の冷却を目的とした冷却ファンとして、前述の実施の形態１で説明した軸流送風機と同様な構成を有する軸流送風機２０１を使用するものである。より具体的に述べると、軸流送風機２０１は、光源ランプユニット１のまわりの高温雰囲気を吸気および換気することにより、光源ランプユニット１の高温部を適当に冷却し温度調節する光源ランプユニット冷却用の軸流送風機である。
【００３７】
ここに、軸流送風機２０１は排気開口部９から所定距離だけハウジング８の内部側に離れて（入り込んで）配置されているため、軸流送風機２０１が有するモータの回転軸に対して斜めの方向の遮光性が向上している。
【００３８】
なお、光源ランプユニット１を含む手段は本発明の光出射手段に対応し、投射光学ユニット５を含む手段は本発明の投写手段に対応し、軸流送風機２０１は本発明のファン装置に対応する。また、ハウジング８は本発明の収納筐体に対応し、排気開口部９は本発明の開口部に対応する。また、本実施の形態の投写型表示装置は、本発明の投写型表示装置に対応する。
【００３９】
つぎに、本実施の形態の投写型表示装置の動作について説明する。
【００４０】
本実施の形態の投写型表示装置は、光源ランプユニット１からの出射光を、（１）Ｒ、Ｇ、Ｂの色成分に分解するための照射光学ユニット２により、ライトバルブである液晶パネルユニット３のＲ、Ｇ、Ｂの各成分の３枚に導いて、画像情報を形成し、（２）色合成系ユニット４でＲ、Ｇ、Ｂの各成分を合成した後に、投射光学ユニット５により、スクリーンなどに投射する。
【００４１】
前述した実施の形態１の場合と同様に、軸流送風機２０１の、隣り合うもの同士が軸方向から見て投影的に重なり合うように形成されたプロペラ羽根の回転によって、光源ランプユニット１の高温雰囲気の排気によるセットの全体的な冷却が行われ、光源ランプユニット１の最適な温度調節がなされるものである。
【００４２】
隣り合うプロペラ羽根同士が軸方向から見て投影的に重なり合うように形成されているため、光源ランプユニット１からの不要光のセット外部への漏洩防止用の遮光部材が不要となる。そして、光源ランプユニットの不要な光成分を装置外部へ漏れ出させてしまうことなく、光源ランプユニットおよびその周辺の冷却が高効率で達成できる。
【００４３】
また、排気ファンを高回転にして達成していた冷却が、低速回転で実現できる。そのため、送風機のＮＺ騒音（なお、ファンの回転数Ｎとファンの羽根枚数Ｚとの積で定義される羽根通過周波数Ｎ＊Ｚは、ファンの回転によって発生する干渉音の成分を示す周波数である）などを極めて低くでき、冷却性能を劣化させることなく装置全体の騒音を極めて低くできるという利点がある。また、光源ランプユニットの光がセット外部へ漏れることがほとんど無くなるために、高品位な投写型表示装置が実現できる。
【００４４】
もちろん、軸流送風機２０１の送風手段に導電処理を行えば、不要輻射としてのノイズが外部に漏れる事も極めて少なくなる。
【００４５】
このように、本実施の形態の投写型表示装置は、光源と、前記光源からの出射光を受け光学像を形成するライトバルブと、前記ライトバルブからの出射光が入射し前記光学像をスクリーン上に投写する投写レンズと、前記光源および光源周辺を冷却する冷却手段とを備え、前記光源および光源周辺を冷却する冷却手段としては、前述の軸流送風機を用いたことを特徴とする投写型表示装置である。
【００４６】
このような特徴を有する投写型表示装置によれば、遮光部材や防塵部材を用いることなく、デザインの自由度が大きい構成で、（１）光源ランプユニットなどの不要な光を外部に出すことなく効率よく冷却でき、（２）セット内部へのほこりの侵入を防止でき、（３）遮光部材や防塵部材による通風抵抗がなくなるため、冷却性能を劣化させることなく送風に伴う騒音を大幅に減少させることができ、（４）使用者に対しセット内部を見せたくない場合の冷却ファンとして使用できるため、セットの品位を向上させることができ、（５）遮光部材や防塵部材が不要となって部品点数を削減できるため、低価格化や小型化を促進することができる。
【００４７】
（実施の形態３）
はじめに、図４を主として参照しながら、本実施の形態の電子機器の構成について説明する。なお、図４は本発明にかかる実施の形態３の電子機器の斜視図である。
【００４８】
筐体３０１は、パーソナルコンピュータなどの電子機器の筐体である。
【００４９】
筐体３０１の内部には、少なくとも、強制空冷での冷却が必要になる程度の大きな発熱量を有する一つまたは複数の発熱部材３０２が配置されている。例えば、駆動ＩＣを実装した回路基板やＣＰＵなどが、このような発熱部材にあたる。
【００５０】
筐体３０１には、発熱部材３０２の強制空冷での冷却を達成するため、筐体３０１の外部の空気を取り込む吸気開口部（図示省略）と筐体３０１の内部を高温雰囲気を排出するための排気開口部３０３とが設けられている。
【００５１】
軸流送風機３０４は、前述の実施の形態１で説明した軸流送風機と同様な構成を有する、強制空冷を行うための軸流送風機である。
【００５２】
筐体３０１に内部の高温雰囲気を換気および排気させるための空気の流通口となる排気開口部３０３が形成されており、排気開口部３０３に面する筐体３０１の内部に軸流送風機３０４が設置されている。
【００５３】
ここに、軸流送風機３０４は排気開口部３０３から所定距離だけ筐体３０１の内部側に離れて（入り込んで）配置されているため、軸流送風機３０４が有するモータの回転軸に対して斜めの方向の遮光性が向上している。
【００５４】
もちろん、筐体３０１の内部へ筐体外部の空気を取り込む吸気開口部を設けて、吸気開口部に面する筐体３０１の内部に軸流送風機３０４を設置してもよい。
【００５５】
なお、発熱部材３０２を含む手段は本発明の所定の回路に対応し、軸流送風機３０４は本発明のファン装置に対応する。また、筐体３０１は本発明の収納筐体に対応し、排気開口部３０３は本発明の開口部に対応する。また、本実施の形態の電子機器は、本発明の電子機器に対応する。
【００５６】
つぎに、本実施の形態の電子機器の動作について説明する。
【００５７】
電子機器の機能動作によって、内部に設置される発熱部材３０２の冷却を実現させる。
【００５８】
このとき、軸流送風機３０４を駆動させて、内部の高温雰囲気を排出し、筐体３０１の内部および発熱部材３０２を冷却して所望の状態に保つ。
【００５９】
排気開口部３０３に面する筐体３０１の内部に軸流送風機３０４を設置したため、前述したように斜めの方向の遮光性が向上し、筐体３０１の外部から排気開口部３０３を経由して内部が見えることはほとんどない。
【００６０】
したがって、電子機器内部へのほこりなどの侵入が防げるほか、使用者からは内部が見えないために、内部の配線処理や目隠し部材などを廃止できる利点がある。
【００６１】
また、軸流送風機３０４の隣り合うプロペラ羽根同士が軸方向から見て投影的に重なり合うように形成されているため、内部に光を発する部材を配置しても、外部へ光が漏れ出すことはない。
【００６２】
もちろん、軸流送風機３０４の送風手段に導電処理を行えば、不要輻射としてのノイズが外部に漏れる事も極めて少なくなる。
【００６３】
なお、投写型表示装置における光透過型の液晶パネルユニット３は、上述した本実施の形態においては、ライトバルブであったが、光学的特性として光学像を形成するライトバルブであってもよい。
【００６４】
また、電子機器は、上述した本実施の形態においては、パーソナルコンピュータであったが、オーディオ製品やＡＶ関連機器などの冷却が必要なその他の電子機器であってもよい。
【００６５】
このように、本実施の形態の電子機器は、発熱部材を所望の状態まで強制空冷するための空気の吸気開口部および排気開口部を有する筐体と、前記筐体内部の吸気開口部あるいは排気開口部のどちらかに少なくとも強制空冷させる冷却手段を具備し、前記冷却手段としては、前述の軸流送風機を用いることを特徴とする電子機器である。
【００６６】
このような特徴を有する電子機器によれば、遮光部材や防塵部材を用いることなく、デザインの自由度が大きい構成で、（１）光源ランプユニットなどの不要な光を外部に出すことなく効率よく冷却でき、（２）セット内部へのほこりの侵入を防止でき、（３）遮光部材や防塵部材による通風抵抗がなくなるため、冷却性能を劣化させることなく送風に伴う騒音を大幅に減少させることができ、（４）使用者に対しセット内部を見せたくない場合の冷却ファンとして使用できるため、セットの品位を向上させることができ、（５）遮光部材や防塵部材が不要となって部品点数を削減できるため、低価格化や小型化を促進することができる。
【００６７】
以上においては、本実施の形態１から３について詳細に説明を行った。
【００６８】
なお、本発明の各プロペラ羽根は、二枚以上の小プロペラ羽根が組み合わされて構成されていてもよい。たとえば、本発明にかかるファン装置の説明図である図８に示されているように、（１）（紙面に垂直な方向の）所定の回転軸の周りに回転駆動が可能なロータ部４１０と、（２）ロータ部４１０に装着された、回転軸と平行な光線は実質上遮光されるように配置されたプロペラ羽根４２１〜４２８を有するプロペラ部４２０とを備えたファン装置は、本発明のファン装置の具体例である。ここに、たとえばプロペラ羽根４２１は、二枚の小プロペラ羽根４２１ａ、４２１ｂが組み合わされて構成されている（理解しやすいように、二枚の小プロペラ羽根を異なる表示パターンで塗って図示した）。
【００６９】
本発明にかかるファン装置のファン素材４００ａの説明図である図９（ａ）、および本発明にかかるファン装置のファン素材４００ｂの説明図である図９（ｂ）に示されているように、このようなファン装置（図８参照）の製造方法であって、（１）ロータ部４１０を構成するロータ部素材４１０ａとプロペラ部４２０を構成するプロペラ部素材４２０ａとで構成されたファン素材４００ａ、およびロータ部４１０を構成するロータ部素材４１０ｂとプロペラ部４２０を構成するプロペラ部素材４２０ｂとで構成されたファン素材４００ｂを成形するファン素材成形ステップと、（２）成形されたファン素材４００ａ、４００ｂのロータ部素材４１０ａ、４１０ｂ同士を連結するロータ部素材連結ステップとを備え、連結が行われる際、プロペラ部素材４２０ａ、４２０ｂの個々の小プロペラ羽根同士は、プロペラ羽根４２１〜４２８が構成されるように配置されるファン装置の製造方法は、発明のファン装置の製造方法の具体例である。ここに、たとえばプロペラ羽根４２１を構成する小プロペラ羽根４２１ａ、４２１ｂは、接着剤を利用して接続されてもよいし、回転軸の方向から見て重なり合う部分を有するように接続されずに配置されてもよい。プロペラ部素材４２０ａ、４２０ｂは、小プロペラ羽根同士が回転軸の方向から見て重なり合う部分を有しないため、容易に金型成形を行うことができる。
【００７０】
また、本発明にかかるケース４３０を備えたファン装置の説明図である図１０に示されているように、プロペラ羽根の先端部分を所定のスペースＳをもって囲み、プロペラ羽根の表側および裏側は開放しているケース４３０を備え、（１）ケース４３０には、所定のスペースＳに入射するまたは入射した、回転軸と平行な光線を遮光するようにフランジ（図示省略）がプロペラ羽根の表側および／または裏側に張り出している、または（２）ケース４３０に取り付けられた、ロータ部を回転駆動するためのモータを支持するモータ支持フレーム（図示省略）をさらに備え、モータ支持フレームには、所定のスペースＳに入射するまたは入射した、回転軸と平行な光線を遮光するように所定の遮光部材（図示省略）がプロペラ羽根の表側および／または裏側に設けられているファン装置は、本発明のファン装置の具体例である。所定のスペースＳをフランジや遮光部材を利用して遮蔽することにより、装置内部からの不要光の漏洩などを抑制することができる。
【００７１】
【発明の効果】
以上述べたところから明らかなように、本発明は、ファン装置において遮光部材を不要とし部品点数をより削減することができるという長所を有する。
【図面の簡単な説明】
【図１】（ａ）本発明にかかる実施の形態１の軸流送風機を軸方向に沿って空気吸入側から見た説明図
（ｂ）本発明にかかる実施の形態１の軸流送風機を軸方向に沿って空気吐出側から見た説明図である。
【図２】本発明にかかる実施の形態２の投写型表示装置の平面図
【図３】本発明にかかる実施の形態２の投写型表示装置の右側面図
【図４】本発明にかかる実施の形態３の電子機器の斜視図
【図５】従来の軸流送風機の説明図
【図６】従来の投写型表示装置の平面図
【図７】従来の投写型表示装置の右側面図
【図８】本発明にかかるファン装置の説明図
【図９】（ａ）本発明にかかるファン装置のファン素材４００ａの説明図
（ｂ）本発明にかかるファン装置のファン素材４００ｂの説明図
【図１０】本発明にかかるケース４３０を備えたファン装置の説明図
【符号の説明】
１  光源ランプユニット
２  照射光学ユニット
３  液晶パネルユニット
４  色合成系ユニット
５  投射光学ユニット
６  冷却ファン
７  遮光部材
８  ハウジング
９  排気開口部
１０  ハウジング
１１  モータ
１２  プロペラ
１３  導風路
１０１  モータ
１０２  ハウジング
１０３  プロペラ羽根
１０４  導風路
１０５  モータステータ側
２０１  軸流送風機
３０１  筐体
３０２  発熱部材
３０３  排気開口部
３０４  軸流送風機
【図１（ａ）】
0003716268.tif 000002
【図１（ｂ）】
0003716268.tif 000003
【図２】
0003716268.tif 000004
【図３】
0003716268.tif 000005
【図４】
0003716268.tif 000006
【図５】
0003716268.tif 000007
【図６】
0003716268.tif 000008
【図７】
0003716268.tif 000009
【図８】
0003716268.tif 000010
【図９（ａ）】
0003716268.tif 000011
【図９（ｂ）】
0003716268.tif 000012
【図１０】
0003716268.tif 000013